(57)【特許請求の範囲】
【請求項１】
遊技盤に始動入賞口とセンター役物と図柄変動表示器が設けられ、該センター役物の球入口に開閉動する可動羽根が設けられ、該センター役物に特別入賞口と普通入賞口が設けられ、遊技球が前記始動入賞口に入り始動条件が成立することに基づいて、前記可動羽根が開閉動し球入口から該センター役物内に遊技球が流入し得るようにすると共に、該センター役物内に流入した遊技球が前記特別入賞口に入賞すると大当たりを発生させる遊技制御回路を備えたパチンコ遊技機において、
前記遊技制御回路は前記図柄表示器を制御する図柄制御手段を有し、前記センター役物内に流入した遊技球を検出するカウントスイッチと、前記特別入賞口に入賞した遊技球を検出する特別入賞球検出スイッチと、前記普通入賞口に入賞した遊技球を検出する普通入賞球検出スイッチとを設け、
前記遊技制御回路は、前記カウントスイッチによって遊技球が検出され、該遊技球が前記特別入賞球検出スイッチに検出されることなく普通入賞球検出スイッチによって検出された場合、前記図柄制御手段が前記図柄表示器に残念表示を特定時間表示させ、該残念表示をさせた後に新たな始動条件成立に基づき前記可動羽根を開閉動させる一方、前記可動羽根が開閉動しても前記カウントスイッチによって遊技球が検出されることなく所定時間が経過した場合、前記図柄制御手段が前記図柄表示器に残念表示を前記特定時間行うことなく前記特定時間よりも短い時間経過後に新たな始動条件成立に基づき前記可動羽根を開閉動させることを特徴とするパチンコ遊技機。
【発明の詳細な説明】
【技術分野】
【０００１】
本発明は、遊技盤の中央にセンター役物を設けると共に、図柄変動表示器が設けられ、所定条件を満たすことにより大当たりが発生し、球入口が継続的に開成状態となるパチンコ遊技機に関するものである。
【背景技術】
【０００２】
周知のように、第１種パチンコ遊技機は、遊技盤に始動ゲートと図柄変動表示器と大入賞口が設けられ、始動ゲートに遊技球が入ると図柄変動表示器が数字、記号、図形等の図柄が変動表示され、その変動は数秒後に停止し、その停止図柄が例えば「７７７」等の特定図柄であった場合に大当たりが発生し、大入賞口が繰り返し開閉動して継続的に開成状態となることで、該大入賞口に遊技球が極めて入賞し易い状態となり、その大当たり状態の間に多数の賞球が遊技者に払い出されるように構成されたものである。
【０００３】
一方、「ヒコーキ」、「羽根物」等と称される第２種パチンコ遊技機は、遊技盤の中央にセンター役物（大入賞口とも称される）が設けられ、該センター役物の上部両側に一対の球入口が形成され、該各球入口にはソレノイド等の電動アクチュエータを作動させることにより回転動し該球入口を開閉する可動羽根が夫々設けられ、遊技盤面を流下する遊技球が該球入口から該センター役物内に流入し、該遊技球が該センター役物の下部に設けられた特別入賞口に入賞すると大当たりが発生し、大当たりが発生すると、先ず第１ラウンドが始まることで前記可動羽根が継続的に煽動して該球入口が繰り返し開閉し、該センター役物内に遊技球が１０個入るか、もしくは該可動羽根が１８回煽動すると第１ラウンドが終り、続いて第２ラウンドが開始されて第１ラウンドと同様に可動羽根が継続的に煽動し、該センター役物内に遊技球が１０個入るか、もしくは該可動羽根が１８回煽動すると第２ラウンドが終って第３ラウンドが開始され、以下同様に最高で第１６ラウンドまで繰り返されることで、この大当たり状態の間に多数の賞球が遊技者に払い出されるように構成されたものである。
なお、下記特許文献１，２はこの種のパチンコ遊技機を例示するものである。
【特許文献１】特開２００３−３１０９３５号公報
【特許文献２】特開２００４−３３４２８号公報
【発明の開示】
【発明が解決しようとする課題】
【０００４】
上記のように、従来のパチンコ遊技機は、１種と２種とに大別され、両種はそれぞれ趣の異なる遊技性を備えているものの、いずれもその遊技に次第に飽きられるという問題がある。
そこで本発明は、１種および２種のパチンコ遊技機の持つ遊技性をいずれも備えた新たなパチンコ遊技機を提供することを第１の課題とする。
また、本発明は、この１種と２種のパチンコ遊技機の持つ遊技性をいずれも備えたパチンコ遊技機において、図柄変動表示器の表示が状況によって短縮されるようにし、遊技中の遊技者の心理に即したものにすることで、パチンコ遊技機の遊技性をより高めようとするものである。
【課題を解決するための手段】
【０００５】
その課題を解決するため、請求項１に記載した発明は、遊技盤に始動入賞口とセンター役物と図柄変動表示器が設けられ、該センター役物の球入口に開閉動する可動羽根が設けられ、該センター役物に特別入賞口と普通入賞口が設けられ、遊技球が前記始動入賞口に入り始動条件が成立することに基づいて、前記可動羽根が開閉動し球入口から該センター役物内に遊技球が流入し得るようにすると共に、該センター役物内に流入した遊技球が前記特別入賞口に入賞すると大当たりを発生させる遊技制御回路を備えたパチンコ遊技機において、前記遊技制御回路は前記図柄表示器を制御する図柄制御手段を有し、前記センター役物内に流入した遊技球を検出するカウントスイッチと、前記特別入賞口に入賞した遊技球を検出する特別入賞球検出スイッチと、前記普通入賞口に入賞した遊技球を検出する普通入賞球検出スイッチとを設け、前記遊技制御回路は、前記カウントスイッチによって遊技球が検出され、該遊技球が前記特別入賞球検出スイッチに検出されることなく普通入賞球検出スイッチによって検出された場合、前記図柄制御手段が前記図柄表示器に残念表示を特定時間表示させ、該残念表示をさせた後に新たな始動条件成立に基づき前記可動羽根を開閉動させる一方、前記可動羽根が開閉動しても前記カウントスイッチによって遊技球が検出されることなく所定時間が経過した場合、前記図柄制御手段が前記図柄表示器に残念表示を前記特定時間行うことなく前記特定時間よりも短い時間経過後に新たな始動条件成立に基づき前記可動羽根を開閉動させることを特徴とする。
【発明の効果】
【０００６】
本発明によれば、斬新な遊技性が得られると共に、図柄変動表示器の表示が一律でなく状況によって表示時間が短縮され、遊技者の抱く心理に即したものになることで好趣が増大する。
【発明を実施するための最良の形態】
【０００７】
次に本発明に係るパチンコ遊技機の実施形態を図面に従い説明する。図１は本発明に係るパチンコ遊技機の遊技盤の正面図を示す。該遊技盤１の前面に、打球発射装置（図示せず）から発射された遊技球を誘導するための環状の外レール２ａおよび内レール２ｂが設けられ、該レール２ｂの内側遊技領域の中央にセンター役物４が設けられる。５ａ，５ｂは遊技球が流下する遊技盤の左側領域上部と右側領域上部に夫々設けられた普通入賞口、６ａ，６ｂはその下方に夫々設けられた普通入賞口、７ａ，７ｂは遊技盤の左側領域下部と右側領域下部に夫々設けられた始動入賞口、８はセンター役物４の直下方に設けられるソレノイド９ａが作動することにより一対の翼片９，９が開閉動するように構成された所謂チューリップ型の電動開閉始動入賞口である。該電動開閉始動入賞口８は、その上方に遊技球が通過することにより電気的に検出される始動ゲート８ａが一体に設けられている。１０は遊技領域の下端部に設けられたアウト球排出口、１１ａ，１１ｂは内レール３の内側縁に設けられたランプ付き装飾体である。なお、３は遊技盤１の下部隅位置に設けられた普通図柄変動表示装置で、該普通図柄変動表示装置は「○」表示と「×」表示とが並設され、その両表示が後述する遊技制御基板の制御により点灯し得るものである。
【０００８】
センター役物４は、図２、図３に拡大して示すように、遊技盤１面に取着される取付基板１２前面の中央上部に紋型装飾体１３が形成され、該紋型装飾体の両側に上部球入口１４ａ，１４ｂが形成される。該上部球入口１４ａ，１４ｂに可動羽根１５ａ，１５ｂが起立状から外傾状に変動し得るように回動自在に軸支される。該可動羽根１５ａ，１５ｂは、図４（イ）（ロ）に示すように、支軸１６ａ，１６ｂの先端に固設され、該支軸１６ａ，１６ｂの後端部にクランク１７ａ，１７ｂが固設されている。１８ａ，１８ｂは該センター役物４の内部に鉛直に固設された電気的駆動手段としての電動アクチュエータ（ソレノイド）、１９ａ，１９ｂは該電動アクチュエータ１８ａ，１８ｂのプランジャに固着された作動片である。２０ａ，２０ｂは、その軸受部２１ａ，２１ｂを軸支することにより傾動自在に支持された傾動片である。該傾動片２０ａ，２０ｂに突設されたピン２２ａ，２２ｂを該作動片１９ａ，１９ｂに形成された横長孔２３ａ，２３ｂに遊嵌すると共に、クランク１７ａ，１７ｂの先端に突設されたピン２４ａ，２４ｂを該傾動片２０ａ，２０ｂに形成された長孔２５ａ，２５ｂに遊嵌する。
【０００９】
前記電動アクチュエータ１８ａ，１８ｂが励磁され作動片１９ａ，１９ｂが上動すると、傾動片２０ａ，２０ｂが上傾し、図４（ロ）に示すように支軸１６ａ，１６ｂを矢視方向へ回転させ、可動羽根１５ａ，１５ｂが図４（イ）の起立状から外傾状に変動する。これに伴い図２に示すように上部球入口１４ａ，１４ｂが開成され、遊技球が該上部球入口１４ａ，１４ｂからセンター役物４内に流入し得るようになる。２６はセンター役物４内であって上部球入口１４ａ，１４ｂの内側に山形に形成された球遊動通路である。２７ａ，２７ｂは該上部球入口１４ａ，１４ｂからセンター役物４内に流入した遊技球の個数を検出するために該球遊動通路２６の両端部に設けられたカウントスイッチで、遊技球は該カウントスイッチ２７ａ，２７ｂの環状孔を通り、その下段に形成された凹面状通路２８に落下する。
【００１０】
また、図２に示すように、凹面状通路２８の中央部後壁面に窓孔２９が形成され、該窓孔２９の後側に球停留装置３０が設けられる。図５（イ）（ロ）に示すように、該球停留装置３０は、上端部で軸着され前後に自在に揺動する振分部材３１と、センター役物４の内部中央に鉛直に固設された電気的駆動手段としての電動アクチュエータ（ソレノイド）３２と、該電動アクチュエータ３２のプランジャに固着され振分部材３１と連係する規制部材３３とからなる。振分部材３１は、下端に後記する球落口３８を開閉する蓋片３１ａが設けられ、軸支部から後方へ突出する腕片３４の先端にピン３４ａが設けられる。一方、規制部材３３は、その上端に前方へ突出する可動片３５が設けられ、該可動片３５先端の二股部３６に前記腕片３４のピン３４ａが係合している。また、規制部材３３の下端は、前方へ屈曲して球止片３７が設けられる。該球止片３７の前端部は、球落口３８の下方に位置する。そして、規制部材３３が上昇したとき、球止片３７が球落口３８の真下に位置し、該球止片３７に入った遊技球を下から支持するようにしている。また、この状態で、規制部材３３が下降すると、前記遊技球は支持を失い落下することになる。
【００１１】
前記球停留装置３０における振分部材３１の下方には、該振分部材３１の揺動動作により遊技球を受け入れられるように開閉する球落口３８が設けられ、該球落口３８に球検出スイッチ３９（図５では省略）の環状孔が合致している。球落口３８の両側には、左右両サイドへ伸びるワープ通路４０ａ，４０ｂが形成される。これらワープ通路４０ａ，４０ｂは両側で下方へ屈曲し、その下端に後記する傾斜棚５２の両側上面に位置する球出口４１ａ，４１ｂが設けられる。なお、これらワープ通路４０ａ，４０ｂにより囲まれる部位の後側にカラー液晶ディスプレイ等の図柄変動表示器４８が配置される。従って該図柄変動表示器４８を遊技者が前側から視認可能なように、ワープ通路４０ａ，４０ｂにより囲まれる部位は遊技球の直径寸法よりも少し広い幅を離して平行な前後一対の透明樹脂板が張設された透光領域４２としている。
【００１２】
そして、透光領域４２の透明樹脂板間に、球落口３８の下方に位置して該球落口３８から落下する遊技球を下方へ導く中央縦通路４３が形成される。該中央縦通路４３には、その途中に通路の内側へ突出し落下する遊技球を一時的に受け止める第一球受片４４ａとその下方に位置する第二球受片４４ｂとが設けられる。これら第一・第二球受片４４ａ，４４ｂは、互いに位置を違えて設けられかつそれら上面が中央縦通路４３の中央寄りへ下傾し、その上面に遊技球が乗っても停止できずに落下するようになっている。更に、第二球受片４４ｂの下方に上面が弧状に窪み、遊技球の排出方向が正面から見て右側に振った第三球受片４４ｃが設けられる。
【００１３】
また、両透明樹脂板間の下部に、中央縦通路４３の下端から落下する遊技球を受け入れる球転動通路４５が設けられる。該球転動通路４５は、前記中央縦通路４３の真下位置である中央部が一番低くなっており、その両側上面が中央部に向かって緩やかに下傾している。また、中央縦通路４３中央部の後側壁に、遊技球を傾斜棚５２の左右幅方向のほぼ中央部に落下させる球送り口４６が開設される。
【００１４】
前記球停留装置３０の電動アクチュエータ３２が消磁しているときは、図５（イ）に示すようにそのプランジャが下方へ突出して規制部材３３が下降位置に停止し、振分部材３１が前方へ揺動して突出し球落口３８の上面を塞いでいる。よって、この状態で凹面状通路２８から窓孔２９を介して導かれた遊技球は、振分部材３１により左右いずれかに振り分けられ、ワープ通路４０ａ，４０ｂ内を通ってその下端の球出口４１ａ，４１ｂから排出されて傾斜棚５２の上面に落下し、該傾斜棚上にて自由流転する。また、この状態では、該規制部材３３下端の球止片３７が中央縦通路４３の後側壁に開設された縦溝４７を介してその中央縦通路４３内に介入し、第一球受片４４ａの近傍に達しており、その第一球受片４４ａ上面に乗る遊技球を支えてそれより下方へ落下させないようにしている。
【００１５】
また、電動アクチュエータ３２が励磁すると、図５（ロ）に示すようにそのプランジャが上方へ収縮して規制部材３３が上昇位置に停止し、同時に振分部材３１が後方へ揺動して球落口３８を遊技球が入り得るように開放する。よって、この状態で凹面状通路２８から窓孔２９を介して後方へ導かれた遊技球は、球落口３８に入り易い。該球落口３８に入った遊技球は、その下面を規制部材３３下端の球止片３７により支持され、電動アクチュエータ３２が消磁して規制部材３３が下がらない限り中央縦通路４３に落下しないようになっている。また、その後に窓孔２９から入る遊技球は、球落口３８に保留される遊技球によって振り分けられ、ワープ通路４０ａ，４０ｂのいずれかに流入する。
【００１６】
この状態で、電動アクチュエータ３２が消磁すると、規制部材３３が下降し該規制部材３３によって球落口３８に保留されていた遊技球が第一球受片４４ａの上面に落下する。また、同時に振分部材３１が前方へ突出して球落口３８を塞ぐ。このとき、前記遊技球は規制部材３３に支持され第一球受片４４ａの上面に保持される。そして、電動アクチュエータ３２が再び励磁すると、規制部材３３が上昇すると共に振分部材３１が後退して球落口３８を開放する。同時に、第一球受片４４ａの上面に乗っていた遊技球が規制部材３３から開放され、第二球受片４４ｂの上面に一時的に乗りつつ更にその下方の第三球受片４４ｃ上面に乗り、図６（イ）に示すようにその下流側の端縁から球転動通路４５の上面に落下する。
【００１７】
第三球受片４４ｃの流下端縁は球転動通路４５を正面から見て右側を向いているので、そこから排出される遊技球は勢いがつき易い。そこで、該球転動通路４５の上面が中央部に向かって緩やかに下傾していることから、前記遊技球は図６（イ）鎖線に示すようにその中央部を基点として左右両サイドへ減衰しながら往復運動する。そして、該遊技球は最終的に中央部に寄り、球送り口４６を介して傾斜棚５２上面の中央に落下する。球送り口４６の中央縦通路４３に沿った両側縁部は、その前面が図６（ロ）に示すように前方へ突出し、両突出部から始まる両側前面が、それぞれ球転動通路４５に沿って外側へ向かうに従い漸次後方へ傾くテーパー面４５ａに形成されている。
【００１８】
これにより、球転動通路４５を球送り口４６を中心として左右に往復運動する遊技球は、球送り口４６に近づくにつれテーパー面４５ａに接触して球送り口４６から離されるように誘導される。よって、例えば、該遊技球が球送り口４６の両内側縁に当たって停止し、そこで往復運動が止まってしまうことはなくなり、遊技者はその遊技球の動きを長く楽しむことができる。
【００１９】
センター役物４内の球転動通路４５の下方に、取付基板１２に開設された窓開口４９と連通するようにして前側から内部が視認できる遊技室５０が形成されている。図７に示すように該遊技室５０には、その後側正面壁５０ａの中央に装飾体としての人形５１が突出状に設けられる。また、遊技室５０内の中間高さ位置に、横断状に配置され後方へ向けて緩やかに下傾する傾斜棚５２が設けられる。該傾斜棚５２の後端縁は、遊技球が落下し得る間隔５３を離して人形５１と相対している。該遊技室５０の床面５４は緩やかな前傾状に形成され、その前端縁中央に特別入賞口５５が設けられ、該特別入賞口５５の両側にそれぞれやや広めの普通入賞口５６，５６が形成される。該特別入賞口５５には、特別入賞球検出スイッチ５７ａが配設される。普通入賞口５６，５６にあっては、その下流側に普通入賞球検出スイッチ５７ｂが配設される。
【００２０】
図８に示すように前記人形５１の腹部に、繰り返し前方に進出可能に設けられたポケット形の進退動型電動部材５８が装着される。該進退動型電動部材５８は、水平に配置されると共に前端に上面が開口したポケット部５８ａが設けられる。後側正面壁５０ａの後側に、進退動型電動部材５８に連結され該進退動型電動部材５８を動作させるための電気的駆動手段としての電動アクチュエータ（ソレノイド）５９が水平に配置される。また、人形５１の後側に相当する後側正面壁５０ａの裏側に遊技球が通過し得る通路６０が形成され、該通路６０は人形５１の股下部に開設された放出口６１に連通している。６２は床面５４の下側に配置され、電気的駆動手段としての電動アクチュエータ（ソレノイド）６３の作動により枢支部６４を支点として鉛直面内で上下に傾動するように支持された停留レバーである。そして、その上・下方向への傾動により該停留レバー６２の先端６２ａが放出口６１と相対するように床面５４より出没し、放出口６１から放出する遊技球を該停留レバー６２により一時停留するようになっている。また、放出口６１の両側であって後側正面壁５０ａに、前記通路６０と連通するサブ放出口６５が開設される。
【００２１】
図２、図７に示すように、人形５１の両側であって傾斜棚５２の両サイド奥部にそれぞれ半球殻状の回転型電動部材６６が設けられる。図９に示した回転型電動部材６６は、センター役物４を正面から見て右側に配置されるものであるが、左側に配置される回転型電動部材６６は右側に配置されるものと同じ構成からなるので図示は省略する。該回転型電動部材６６はその球面が前方を向き回転軸６７により支持され、該回転軸６７の後端に減速機付モータ６８が連繋される。回転型電動部材６６には、その前面に等間隔に遊技球が通過できる透孔６９が形成される。また、回転軸６７に該回転軸６７に対して直角となるように回転円板８１が固着され、該回転円板８１の外周縁部に回転軸６７を中心とする放射線状にかつ等間隔にスリット８２が設けられる。回転円板８１の一側に、該回転円板８１の外周縁部を前側と後側から挟むようにして投光器と受光器とを備えた検出器８３が配設される。
【００２２】
回転型電動部材６６は、減速機付モータ６８の駆動により図９矢印の方向、すなわちセンター役物４を正面から見て時計回り方向へ常時回転している。回転中の回転型電動部材６６は、前記スリット８２を検出器８３で検出することにより停止できるが、常に同じ位置で停止させている。このように、回転型電動部材６６を常に同じ位置で停止させるのは、センター役物４内に入った遊技球の特別入賞口５５へ入賞する入賞確率にばらつきがないようにしてその均一化を図るためである。一方、前記左側に配置された回転型電動部材６６は、図２のようにセンター役物４を正面から見て反時計回り方向へ回転している。そして、傾斜棚５２上面に落下した遊技球は、前記間隔５３から床面５４に落下するほか、該回転型電動部材６６の透孔６９から一旦その内側に入り、また、いずれかの透孔６９からその下方の曲面棚７０を介して床面５４に落下する。
【００２３】
更に、前記遊技室５０の後側正面壁５０ａに、人形５１の両側に位置して押出し部材７１が配置される。これら押出し部材７１は共に同じ構成からなるので、図１０（イ）（ロ）にセンター役物４を正面から見て左側に位置するもののみを示す。押出し部材７１は、両端部に支持孔７２を貫設した摺動枠７３の前面に支軸７４を突設し、該支軸７４の先端すなわち前端に人の手に模した当て片７５を固着して構成される。一方、遊技室５０の後側正面壁５０ａに支持枠７６が固着される。該支持枠７６には、後側正面壁５０ａの前後方向へ水平に貫設された軸孔７７が設けられる。また、支持枠７６の両側後面に、軸孔７７の中心軸と平行をなしかつ圧縮スプリング７８を巻装した支杆７９が後方へ突設される。そして、前記軸孔７７に支軸７４を挿通し、両支持孔７２に両支杆７９を挿通する。また、摺動枠７３の後側に、該摺動枠７３を圧縮スプリング７８の付勢に抗して前方へ押動する電気的駆動手段としての電動アクチュエータ（ソレノイド）８０が水平に配設されている。
【００２４】
該電動アクチュエータ８０が消磁しているときは、図１０（イ）に示すように圧縮スプリング７８の付勢により摺動枠７３が後退し、支軸７４前端の当て片７５が後側正面壁５０ａの前面に寄っている。これに対し、該電動アクチュエータ８０が励磁すると、図１０（ロ）に示すようにプランジャが前進して圧縮スプリング７８の付勢に抗して摺動枠７３を前方へ押す。これにより、当て片７５が前方へ突出して、傾斜棚５２の後端縁に接近する。その後端縁と当て片７４との隙間は、遊技球が通過し得ない寸法になっており、傾斜棚５２の上面を後方へ転動して突出動作する当て片７５に当る遊技球は、傾斜棚５２の上面を前側へ押し返されることになる。前記両当て片７５の前面は、真正面を向くというよりも少し中央の人形５１側を向くように設定されている。よって、該当て片７５に押し返された遊技球は、パチンコ遊技機の前面を覆う透明板保持枠（図示せず。）のガラス板（センター役物４の窓開口４９に該窓開口４９を塞ぐ前面透明壁がある場合は、該前面透明壁）に当たってポケット部８５ａに向かって流下し易いようになる。
【００２５】
センター役物４は上記構成からなり、始動ゲート８ａを遊技球が通過すると前記普通図柄変動表示装置３の「○」と「×」とが交互に点灯し、数秒後に「○」または「×」が点灯状態で停止することによる抽選が行なわれる。そして「○」にて停止し、いわゆる小当たりになると、電動開閉始動入賞口８が１回開閉する。そして、該電動開閉始動入賞口８または始動入賞口７ａ，７ｂに遊技球が入賞し、始動条件が成立すると、図柄変動表示器４８に数字、文字、図形といった図柄が変動表示され、遊技者はその図柄変動状態を透光領域４２を介して見ることができる。
【００２６】
その変動図柄は所定時間後に特定の図柄で停止し、例えば「１１１」で停止した場合は、可動羽根１５ａ，１５ｂが１回開閉動する。また、「２２２」で停止した場合は、可動羽根１５ａ，１５ｂが２回開閉動する。また、低確率ではあるが「７７７」で停止した場合は、遊技者に有利な特別遊技状態となり、可動羽根１５ａ，１５ｂが所定回数開閉を繰り返す。このため、上部球入口１４ａ，１４ｂに遊技球が入賞し易い状況が一定期間継続し、多数の遊技球がセンター役物４内に入り、その遊技球はさらに特別入賞口５５または普通入賞口５６に入賞することから、遊技者はその間に多くの賞球を獲得することができる。そしてこの特別遊技状態が終了した後は元の状態に戻る。
【００２７】
一方、上記変動図柄が「１１１」または「２２２」で停止し、前記可動羽根１５ａ，１５ｂが１回または２回開閉動したとき、上部球入口１４ａ，１４ｂに遊技球が入賞すると、該遊技球はカウントスイッチ２７ａ，２７ｂを通過して検出される。これにより、前記電動アクチュエータ３２，５９，６３，８０が駆動し、振分部材３１と規制部材３３、進退動型電動部材５８、停留レバー６２、押出し部材７１がそれぞれ設定された時間に従って所定回数作動する。また、押出し部材７１は、センター役物４に遊技球が入賞してから排出されるまでの間に、左右同時に複数回前方へ突出動作を繰り返す。
【００２８】
前記上部球入口１４ａ，１４ｂのカウントスイッチ２７ａ，２７ｂを通過して検出された遊技球は、凹面状通路２８内に入る。次に、この遊技球は、窓孔２９から後方へ流下するが、電動アクチュエータ３２が消磁して振分部材３１により球落口３８が塞がれているとき、いずれかのワープ通路４０ａ，４０ｂに流入し、その流下端の球出口４１ａ，４１ｂから傾斜棚５２上面に略垂直に落下する。一方、電動アクチュエータ３２が励磁して振分部材３１を後方へ揺動して球落口３８が開放されたとき、窓孔２９から入った遊技球がタイミング良く球落口３８に入ると、該遊技球は、電動アクチュエータ３２が励磁している間、一時的に保留される。よって、後続の遊技球は必然的に球落口３８には入賞せず、いずれかのワープ通路４０ａ，４０ｂに流入する。
【００２９】
そして、前記電動アクチュエータ３２が消磁すると、規制部材３３が下降し前記球落口３８に保留されていた遊技球は支持を失って中央縦通路４３に落下し、規制部材３３に支持された状態で第一球受片４４ａ上面に保持される。更に、電動アクチュエータ３２が励磁すると、規制部材３３が上昇し第一球受片４４ａ上面の遊技球が支持を失って落下し、第二・第三球受片４４ｂ，４４ｃを経て球転動通路４５上面に落下する。該球転動通路４５上面では、遊技球がその球転動通路４５に沿って中央部を中心として左右に減衰しながら往復動する。最終的に減衰した遊技球は、球送り口４６から傾斜棚５２上面に落下する。
【００３０】
傾斜棚５２上面を後方へ転動する遊技球は、間隔５３から人形５１の前に落下したり、該傾斜棚５２上面にて両サイドに位置し回転中の回転型電動部材６６に接触して弾かれたり、或はその透孔６９内に入り、そのままいずれかの透孔６９から曲面棚７０に落下して床面５４上に放出される。そして、前方へ転動して普通入賞口５６または特別入賞口５５に入賞する。この内、遊技球が、間隔５３から落下するとき、図８の鎖線に示すように電動アクチュエータ３２が励磁して進退動型電動部材５８が進出して開いたポケット部５８ａに入ると、該遊技球は通路６０を流下して人形５１の股下部の放出口６１に導かれる。このとき、同図鎖線に示すように電動アクチュエータ６３が励磁して停留レバー６２の上端が床面５４から上方へ突出しているときは、放出口６１にある遊技球はそのまま保持される。ところが、電動アクチュエータ６３が消磁して停留レバー６２の上端が床面５４から下方に位置すると、前記遊技球はまっすぐ流下して特別入賞口５５に容易に入賞する。この場合も特別遊技状態となり、可動羽根１５ａ，１５ｂが所定回数開閉を繰り返す。そして、多数の遊技球がセンター役物４内に入り特別入賞口５５または普通入賞口５６に入賞することから、その間に多くの賞球を獲得できる。
【００３１】
また、電動アクチュエータ６３が励磁して放出口６１で停留レバー６２により遊技球が保持されているとき、通路６０を介してその上に重なって入る遊技球は、サブ放出口６５から床面５４に排出され、ほとんど普通入賞口５６に入賞する。
【００３２】
そこで、ゲームの途中であって、傾斜棚５２の上面を後方へ転動するも人形５１の位置する該傾斜棚５２の中央部に寄らない遊技球は、傾斜棚５２の後端縁から落下するとき押出し部材７１が前方へ突出すると、図１１の鎖線に示すように当て片７５に当てられ傾斜棚５２の上面を前側へ押し返される。このようにして、その遊技球は、当て片７５により押し返される限り傾斜棚５２上面を前後に往復動して傾斜棚５２上面に滞留する時間が長くなる。よって、進退動型電動部材５８に該遊技球が入る機会が多くなり、しかも、特別入賞口５５に入賞するか否かのスリルや期待感に持続性を持たせることができ、これにより遊技の興趣が高められる。
【００３３】
図１２はこのパチンコ遊技機を制御する遊技制御回路のブロック図で、遊技制御基板８４は、ＣＰＵ，ＲＡＭ，ＲＯＭにより図柄制御手段、大当たり制御手段、センター役物制御手段、ランプ制御手段、賞球払出制御手段等が構成され、前記各入賞口に入賞した遊技球を検出するスイッチが入出力装置を介してＣＰＵに接続されていると共に、同じく入出力装置を介して前記普通図柄変動表示装置３、図柄変動表示器４８、前記各電動アクチュエータ、賞球払出装置等（図１２にはいずれも図示せず）がドライブされるよう構成される。なお、図１２中、２７ａ，２７ｂは上部球入口１４ａ，１４ｂに入賞した遊技球を検出するカウントスイッチ、５７ａは特別入賞口５５に入賞した遊技球を検出する特別入賞球検出スイッチ、５７ｂは普通入賞口５６，５６に入賞した遊技球を検出する普通入賞球検出スイッチである。また、４８は前記図柄変動表示器、１８ａ，１８ｂは可動羽根１５ａ，１５ｂを開閉動させる前記電動アクチュエータである。なお、図１２は本発明に関連するデバイスのみを示し、他のデバイスについては割愛している。
【００３４】
しかして、遊技球が始動入賞口７ａ，７ｂまたは電動開閉始動入賞口８に入賞し、始動条件が成立すると、図柄変動表示器４８が図柄変動し、「１１１」または「２２２」で停止することにより可動羽根１５ａ，１５ｂが作動し上部球入口１４ａ，１４ｂが１回または２回開くが、図１３はそのとき該上部球入口１４ａ，１４ｂに遊技球が入賞した場合の本発明に係るタイミングチャート、図１４は該上部球入口１４ａ，１４ｂに遊技球が１個も入賞しなかった場合の本発明に係るタイミングチャートである。同図において、「始動Ｓ」は遊技球が始動入賞口７ａ，７ｂまたは該電動開閉始動入賞口８に入賞するタイミング、「図柄変動表示器」はその入賞に伴い図柄変動表示器４８が図柄変動を開始するタイミング、「可動羽根」はその図柄変動停止に伴い上部球入口１４ａ，１４ｂが開くタイミング、「Ｖ有効」は該上部球入口１４ａ，１４ｂが開くことに伴い大当たりの発生を有効にするタイミング、「カウントＳ」は上部球入口１４ａ，１４ｂからセンター役物４内に遊技球が流入した遊技球がカウントスイッチ２７ａ，２７ｂにより検出されるタイミング、「排出カウント」は前記普通入賞口５６，５６に遊技球が入賞し普通入賞球検出スイッチ５７ｂによって該遊技球が検出されるタイミングを示す。
【００３５】
図１３に示したように、カウントスイッチ２７ａ，２７ｂにより遊技球が検出されたにも拘わらず、該遊技球は普通入賞口５６，５６に入賞し、特別入賞口５５に入賞しなかったことが明らかになると、図柄変動表示器４８に図１５（イ）に４コマにて例示したような大当たり発生の機会を惜しくも逃した点で残念である意を表す残念表示の動画（この場合、特定のキャラクターが数回ジャンプした後に穴に落ちる２秒間の比較的長めの動画）が表示される。また、図１４に示したように、上部球入口１４ａ，１４ｂが開いたにも拘わらず、所定時間内（即ち、大当たりの発生を有効にしている時間内）にカウントスイッチ２７ａ，２７ｂが作動しなかった（即ち、センター役物４内に遊技球が入らない）場合は、上記のように２秒間といった長めの動画からなる残念表示は省略され、図１５（ロ）に示したように短い動画（この場合、キャラクターが直ぐに穴に落ちることから０．５秒間の短い動画）が図柄変動表示器４８に表示される。そして次の始動条件が成立していた場合は、直ぐにその図柄変動が始められることから無駄なくスピード感を持って遊技を進行させられる利点がある。
【００３６】
このように、本発明では、特別入賞口５５に入賞せず大当たりが発生しなかった状況にあっても、上部球入口１４ａ，１４ｂに遊技球が入ったか入らなかったかによって、図柄変動表示器４８の表示が変えられることから、遊技者の心境に即した演出をすることができる。また、表示時間が短縮されることにより、始動条件が成立していた場合にその図柄変動が直ぐに始められ、遊技がスピード感を持ったものになるので、パチンコ遊技を一層好趣あるものにすることができる。
【００３７】
また、このパチンコ遊技機では、遊技盤に始動入賞口とセンター役物と図柄変動表示器が設けられていることから、いわゆる１種と２種の両方の楽しみが得られ、遊技が一層多彩なものになり、遊技者を飽きさせない利点がある。
【図面の簡単な説明】
【００３８】
【図１】本発明に係るパチンコ遊技機の遊技盤の正面図。
【図２】図１の遊技盤のセンター役物の正面図。
【図３】同側面図。
【図４】（イ）は一対の可動羽根の斜視図、（ロ）は同作用図。
【図５】（イ）は球停留装置部位の斜視図、（ロ）は同作用図。
【図６】（イ）は球転動通路部位の斜視図、（ロ）同平面断面図。
【図７】遊技室部位を一部断面にして示す斜視図。
【図８】遊技室の側面断面図。
【図９】回転型電動部材の斜視図。
【図１０】（イ）は押出し部材の斜視図、（ロ）は同作用図。
【図１１】同押出し部材の作用を示す側面断面図。
【図１２】本発明に係るパチンコ遊技機の遊技制御回路のブロック図。
【図１３】本発明に係るパチンコ遊技機のタイミングチャート。
【図１４】本発明に係るパチンコ遊技機のタイミングチャート。
【図１５】本発明に係るパチンコ遊技機の図柄変動表示器の表示例図。
【符号の説明】
【００３９】
１                遊技盤
３                普通図柄変動表示装置
４                センター役物
７ａ，７ｂ        始動入賞口
８                電動開閉始動入賞口
１４ａ，１４ｂ    上部球入口
１５ａ，１５ｂ    可動羽根
１８ａ，１８ｂ    電動アクチュエータ
２７ａ，２７ｂ    カウントスイッチ
４８              図柄変動表示器
５５              特別入賞口
５６              普通入賞口
５７ａ            特別入賞球検出スイッチ
５７ｂ            普通入賞球検出スイッチ
【図１】
0004734307.tif 000002
【図２】
0004734307.tif 000003
【図３】
0004734307.tif 000004
【図４】
0004734307.tif 000005
【図５】
0004734307.tif 000006
【図６】
0004734307.tif 000007
【図７】
0004734307.tif 000008
【図８】
0004734307.tif 000009
【図９】
0004734307.tif 000010
【図１０】
0004734307.tif 000011
【図１１】
0004734307.tif 000012
【図１２】
0004734307.tif 000013
【図１３】
0004734307.tif 000014
【図１４】
0004734307.tif 000015
【図１５】
0004734307.tif 000016